(57)【要約】【課題】自毛の生え際の頭皮を作業時に引っ張ることがなく、頭皮を痛めることもなく、かつ作業時に痛みを感じさせずに、作業が容易で作業時間が大幅に短縮でき、かつ熟練した技術がなくとも、自毛束に確実に毛髪用繊維束を取着できる毛髪用繊維束の取着方法を提供する。【解決手段】頭皮の一部から複数本の自毛を取り分けて自毛束を作り、かつもう一つの自毛束を隣接して作る工程と、前記隣接して作られた２束の自毛束を頭皮面近くで結んで自毛束結束部を形成する工程と、その自毛束結束部に毛髪用繊維束を結束して自毛束−毛髪用繊維束結束部を形成する工程とからなる毛髪用繊維束の取着方法。【選択図】    図１
2004332156.tif 000002
【特許請求の範囲】
【請求項１】
頭皮の一部から複数本の自毛を取り分けて自毛束を作り、かつもう一つの自毛束を隣接して作る工程と、前記隣接して作られた２束の自毛束を頭皮面近くで結んで自毛束結束部を形成する工程と、その自毛束結束部に毛髪用繊維束を結束して自毛束−毛髪用繊維束結束部を形成する工程とからなることを特徴とする毛髪用繊維束の取着方法。
【請求項２】
２〜６ｍｍ角の頭皮面から複数本の自毛を取り分けて自毛束を作り、かつもう一つの自毛束を隣接して作る工程と、前記隣接して作られた２束の自毛束を頭皮面から１〜３ｍｍの位置で結んで自毛束結束部を形成する工程と、その自毛束結束部に毛髪用繊維束を結束して自毛束−毛髪用繊維束結束部を形成する工程とからなることを特徴とする毛髪用繊維束の取着方法。
【請求項３】
頭皮の一部から複数本の自毛を取り分けて自毛束を作り、かつもう一つの自毛束を隣接して作る工程と、前記隣接して作られた２束の自毛束と毛髪用繊維束を頭皮面近くで結んで自毛束−毛髪用繊維束結束部を形成する工程とからなることを特徴とする毛髪用繊維束の取着方法。
【請求項４】
２〜６ｍｍ角の頭皮面から複数本の自毛を取り分けて自毛束を作り、かつもう一つの自毛束を隣接して作る工程と、前記隣接して作られた２束の自毛束と毛髪用繊維束を頭皮面から１〜３ｍｍの位置で結んで自毛束−毛髪用繊維束結束部を形成する工程とからなることを特徴とする毛髪用繊維束の取着方法。
【請求項５】
頭皮の一部から多数本の自毛からなる自毛束の２束を隣接して取り分ける第１工程と、同２束の自毛束間の基部に１束の毛髪用繊維束を載置する第２工程と、前記２束の自毛束を１束の毛髪用繊維束の上面で結んで自毛束結束部を作る第３工程と、第３工程で結束された自毛束結束部に１束の毛髪用繊維束を結んで自毛束−毛髪用繊維束結束部を作る第４工程と、前記自毛束−毛髪用繊維束結束部から自毛束と毛髪用繊維束を編み込んで編み込み部を形成する第５工程と、前記編み込み部の少なくとも終端を固定する第６工程からなることを特徴とする毛髪用繊維束の取着方法。
【請求項６】
頭皮の一部から多数本の自毛からなる自毛束の２束を隣接して取り分ける第１工程と、同２束の自毛束間の基部に１束の毛髪用繊維束を載置する第２工程と、前記２束の自毛束と１束の毛髪用繊維束とを結んで自毛束−毛髪用繊維束結束部を作る第３工程と、前記自毛束−毛髪用繊維束結束部から自毛束と毛髪用繊維束を編み込んで編み込み部を形成する第４工程と、前記編み込み部の少なくとも終端を固定する第５工程からなることを特徴とする毛髪用繊維束の取着方法。
【請求項７】
前記毛髪用繊維束が人毛で構成されるものであることを特徴とする請求項１〜６のいずれか１項に記載の毛髪用繊維束の取着方法。
【請求項８】
前記毛髪用繊維束が合成繊維で構成される人工毛髪用繊維束であることを特徴とする請求項１〜６のいずれか１項に記載の毛髪用繊維束の取着方法。
【発明の詳細な説明】
【０００１】
【発明の属する技術分野】
本発明は、毛髪用繊維束を取着する方法に関するものであり、特に、人毛あるいは人工の毛髪用繊維束を人の頭髪に取着する方法に関する。
【０００２】
【従来の技術及び発明が解決しようとする課題】一般に、髪の長さや量を任意に変化させるために、毛髪用繊維束を頭髪に取り付ける方法が採られている。毛髪用繊維束はヘアーエクステンションと呼ばれ、人毛で作られたものとポリエチレンなどの合成繊維を原料とするものとがある。
人毛で作られた毛髪用繊維束は、もともと人の毛を使っているので、質感が自然で地毛になじみやすく、肌に当たったときの違和感も少ない上、着色やパーマなどの加工ができる。一方、ポリエチレンなどの合成繊維を原料とする人工毛髪用繊維束は、価格的に安く、種々の髪の色に対応でき、品質の変化が少ないなどというように、人毛の毛髪用繊維束及び合成繊維の毛髪用繊維束のそれぞれに長所があり、利用者の要望に合わせて、適宜選択されて利用されている。
【０００３】
上記、人毛あるいは人工の毛髪用繊維束は、頭髪に取着され、頭髪全体を自毛より長く装う場合や、自毛よりもボリューム感を持たせる場合などに用いられるもので、一般には頭髪の一部に編み込み、金具による固着、接着剤による固着などにより取着される。
毛髪用繊維束の頭髪への取着方法のうち、接着剤による取着は、自毛の一部と毛髪用繊維束の端部を接着剤で固着する方法なので、簡易で一人でもできる。
また、金具による固着は、環状の金具を自毛に挿通させた後、毛髪用繊維束を同環状金具に挿通し、自毛を毛髪用繊維束で挟持した状態で金具内に配置し、その後、同金具を平らに潰し、固定する方法である。
この方法は、一人で毛髪用繊維束の取着作業ができ、かつ編み込み等の煩雑な作業が不要であるとともに、金具による取着なので、自毛が短い場合や前髪などにも毛髪用繊維束が取着できる。
【０００４】
しかし、前記接着剤による自毛への毛髪用繊維束の取着は、自毛が痛みやすく、かつ地肌への負担も大きく脱毛等の恐れがあるという問題がある。
また、金具による取着は、金具の大きさが決まっているため、毛髪用繊維束の繊維の量を任意に調整することができず、また金具が緩みやすいために、とれやすいという問題があった。さらには、頭皮近傍に金具が位置するため、違和感があり、金具が他の自毛と擦れて、自毛が切れてしまうというような問題もある。
そのため、一般的には、三つ編みや四つ編み等の編み込みによる毛髪用繊維束の取着方法が選択される。
編み込みによる毛髪用繊維束の取着方法の一般的な方法（以下は四つ編みの場合）としては、まず、頭皮の数ミリ〜センチメートル角内の複数本の自毛を取り分け、前記自毛を左右に２つに分け、自毛束Ａと自毛束Ｂとする。
そして、前記２つに分けられた自毛束Ａ、Ｂの基部に毛髪用繊維束を頭皮近くに載置する。
次ぎに、前記毛髪用繊維束の上で、自毛束Ａ、Ｂを交差させる。その際、自毛束Ａ、Ｂの交差部は、毛髪用繊維束の上面に配置される。
その後、毛髪用繊維束の前記自毛束Ａ、Ｂの交差部を支点とする上部と下部を自毛束Ａ、Ｂの交差部の上で交差させる。その際、毛髪用繊維束上部と下部の交差部は、前記自毛束Ａ、Ｂの交差部の上面に配置される。
そして、再び、自毛束Ａ、Ｂを交差させ、毛髪用繊維束上部と下部の交差部の上面に、自毛束Ａ、Ｂの第２の交差部を配置し、その後、毛髪用繊維束上部と下部を交差させ、自毛束Ａ、Ｂの第２の交差部の上面に毛髪用繊維束上部と下部の交差部を配置する。同様に前記工程を数回繰り返し、その最終の交差部を糸ゴム等で結着する。
【０００５】
上記、編み込みによる取着方法は、毛髪用繊維束を確実に自毛に固定でき、かつ取れにくく、また繊維の量や自毛の量を自由に調整しやすい。しかし、編み込みは確実に自毛に固定できる分、編み込み作業時に、自毛への引っ張りが強く、痛みを伴うという問題があった。また、編み込みの技術には熟練を要し、不出来な場合には、毛髪用繊維束の取着後、すぐに外れてしまったり、編み込み部が解れてしまうため、慎重かつ確実な作業が必要となり、作業に時間がかかるという問題もある。
【０００６】
【課題を解決するための手段】
本発明は、上記課題の解決を目的とするものであって、毛髪用繊維束の取着時に頭皮への引っ張りがきつくなく、かつ確実な編み込みが容易で、熟練した技術を必要としない毛髪用繊維束の取着方法を提供しようとするものである。
すなわち、本発明は、下記構成の毛髪用繊維束の取着方法である。
（１）頭皮の一部から複数本の自毛を取り分けて自毛束を作り、かつもう一つの自毛束を隣接して作る工程と、前記隣接して作られた２束の自毛束を頭皮面近くで結んで自毛束結束部を形成する工程と、その自毛束結束部に毛髪用繊維束を結束して自毛束−毛髪用繊維束結束部を形成する工程とからなることを特徴とする毛髪用繊維束の取着方法。
（２）２〜６ｍｍ角の頭皮面から複数本の自毛を取り分けて自毛束を作り、かつもう一つの自毛束を隣接して作る工程と、前記隣接して作られた２束の自毛束を頭皮面から１〜３ｍｍの位置で結んで自毛束結束部を形成する工程と、その自毛束結束部に毛髪用繊維束を結束して自毛束−毛髪用繊維束結束部を形成する工程とからなることを特徴とする毛髪用繊維束の取着方法。
（３）頭皮の一部から複数本の自毛を取り分けて自毛束を作り、かつもう一つの自毛束を隣接して作る工程と、前記隣接して作られた２束の自毛束と毛髪用繊維束を頭皮面近くで結んで自毛束−毛髪用繊維束結束部を形成する工程とからなることを特徴とする毛髪用繊維束の取着方法。
（４）２〜６ｍｍ角の頭皮面から複数本の自毛を取り分けて自毛束を作り、かつもう一つの自毛束を隣接して作る工程と、前記隣接して作られた２束の自毛束と毛髪用繊維束を頭皮面から１〜３ｍｍの位置で結んで自毛束−毛髪用繊維束結束部を形成する工程とからなることを特徴とする毛髪用繊維束の取着方法。
（５）頭皮の一部から多数本の自毛からなる自毛束の２束を隣接して取り分ける第１工程と、同２束の自毛束間の基部に１束の毛髪用繊維束を載置する第２工程と、前記２束の自毛束を１束の毛髪用繊維束の上面で結んで自毛束結束部を作る第３工程と、第３工程で結束された自毛束結束部に１束の毛髪用繊維束を結んで自毛束−毛髪用繊維束結束部を作る第４工程と、前記自毛束−毛髪用繊維束結束部から自毛束と毛髪用繊維束を編み込んで編み込み部を形成する第５工程と、前記編み込み部の少なくとも終端を固定する第６工程からなることを特徴とする毛髪用繊維束の取着方法。
（６）頭皮の一部から多数本の自毛からなる自毛束の２束を隣接して取り分ける第１工程と、同２束の自毛束間の基部に１束の毛髪用繊維束を載置する第２工程と、前記２束の自毛束と１束の毛髪用繊維束とを結んで自毛束−毛髪用繊維束結束部を作る第３工程と、前記自毛束−毛髪用繊維束結束部から自毛束と毛髪用繊維束を編み込んで編み込み部を形成する第４工程と、前記編み込み部の少なくとも終端を固定する第５工程からなることを特徴とする毛髪用繊維束の取着方法。
（７）前記毛髪用繊維束が人毛で構成されるものであることを特徴とする前記（１）〜（６）のいずれか１項に記載の毛髪用繊維束の取着方法。
（８）前記毛髪用繊維束が合成繊維で構成される人工毛髪用繊維束であることを特徴とする前記（１）〜（６）のいずれか１項に記載の毛髪用繊維束の取着方法。
【０００７】
【発明の実施の形態】
本発明は、毛髪用繊維束を自毛に取着する方法であり、頭皮の一部から自毛が複数本取り分けられ、前記取り分けられた複数本の自毛を束ねて自毛束が構成され、前記自毛束が隣接してもう一つ作られる工程と、前記隣接して作られた２束の自毛束が頭皮近くで結ばれ自毛束結束部が形成され、同自毛束結束部に毛髪用繊維束を束ねて構成される毛髪用繊維束が結束され、自毛束−毛髪用繊維束結束部を形成する工程からなる毛髪用繊維束の取着方法である。
なお、前記本発明の毛髪用繊維束の取着方法においては、頭皮の一部として、例えば１〜１５ｍｍ角程度、特には、２〜６ｍｍ角の頭皮面から自毛を取り分けて自毛束を作り、かつもう一つの自毛束を隣接して作る工程と、隣接して作られる２束の自毛束を頭皮面から、０．５〜５ｍｍ、好ましくは１〜３ｍｍの位置で結んで自毛束結束部を形成する工程と、その自毛束結束部に毛髪用繊維束を結束して自毛束−毛髪用繊維束結束部を形成する工程によるものなどが挙げられる。
【０００８】
また、本発明は、頭皮の一部から複数本の自毛を取り分け自毛束を作り、前記自毛束が隣接してもう一つ自毛束が作られる工程と、前記隣接して作られた２束の自毛束と毛髪用繊維束を束ねて構成される毛髪用繊維束が頭皮面近くで結ばれ、自毛束−毛髪用繊維束結束部を形成する工程からなる毛髪用繊維束の取着方法である。
なお、上記本発明の毛髪用繊維束の取着方法においては、頭皮の一部として、例えば１〜１５ｍｍ角程度、特には、２〜６ｍｍ角の頭皮面から自毛を取り分けて自毛束を作り、かつもう一つの自毛束を隣接して作る工程と、隣接して作られる２束の自毛束と毛髪用繊維束を頭皮面から、０．５〜５ｍｍ、好ましくは１〜３ｍｍの位置で結んで自毛束−毛髪用繊維束結束部を形成する工程によるものなどが挙げられる。
【０００９】
本発明において、毛髪用繊維束とは、人毛により構成される毛髪用繊維束や、ポリエチレン等の合成繊維からなる人工毛髪用繊維束等、自毛に取着できる繊維束であれば、その材質は限定されない。
そして、本発明における自毛とは、頭皮から生えている毛髪であるが、本発明によれば、例えばカツラ等の毛髪を自毛として、毛髪用繊維束を取着することもできる。
【００１０】
なお、本発明における毛髪用繊維束の取着方法においては、頭皮の一部から取り分けられる自毛の量は限定されないので、取着する毛髪用繊維束の量に合わせ、適宜選択して頭皮から取り分け、自毛束を構成することが望ましい。頭皮の一部としては、前述のように、１〜１５ｍｍ角程度、特には、２〜６ｍｍ角内の範囲が、仕上がり時に毛髪用繊維束が自然に取着されるので好ましい。
また、隣接して形成される２束の自毛束は、１束を形成後、隣接する位置にもう１束を形成する、あるいは、最初に２束分の自毛を取り分けた後に、二つに分けて形成することもできる。
【００１１】
頭皮面近くで自毛束を結び形成される自毛束結束部及び、毛髪用繊維束を自毛束結束部に結んで形成される自毛束−毛髪用繊維束結束部は、一方の毛束を他方の毛束にくぐらせて形成される結び目であり、結束部は、強固に結束される必要はなく、互いの毛束がはずれにくいように仮に係止できる程度に結束されればよく、結び方には限定されない。もちろん、強固に結束してもよい。
なお、２束の自毛束を結んで自毛束結束部が形成される位置あるいは、２束の自毛束と毛髪用繊維束を結んで自毛束−毛髪用繊維束結束部が形成される位置は、頭皮面と結束部との距離が０．５〜５ｍｍ、好ましくは１〜３ｍｍ程度の位置とすることにより、自毛の生え際の頭皮を作業時に引っ張ることがなく、頭皮を痛めることもなく、作業時に痛みを感じさせることもない。
【００１２】
なお、本発明の毛髪用繊維束の取着方法においては、自毛束結束部と毛髪用繊維束が結束された自毛束−毛髪用繊維束結束部、あるいは自毛束と毛髪用繊維束が結束された自毛束−毛髪用繊維束結束部は、その後の行程で行われる編み込み部形成のための編み込みの際、編み込み部の起点として確立するので、作業性を向上させる。
そして、自毛束と毛髪用繊維束とが結束部で固着するので、その後の編み込みは、自毛束と毛髪用繊維束が確実に結着できる編み方であればよく、自毛束と毛髪用繊維束を１本ずつ絡ませたり、自毛束と毛髪用繊維束を、２束と１束、あるいは１束と２束に分けて、三つ編みに編み込む方法等が挙げられるが、特に一般に四つ編みと呼ばれる編み込みが好ましい。
本発明において、四つ編みは、自毛束を結んで形成された自毛束結束部と毛髪用繊維束を結んで形成された自毛束−毛髪用繊維束結束部あるいは、自毛束と毛髪用繊維束を結んで形成された自毛束−毛髪用繊維束結束部を起点として、自毛束を左右に配置し、毛髪用繊維束を上下に配置する工程と、左右に配置された自毛束を交差させ、次ぎに上下に配置された毛髪用繊維束を交差させ、再び、左右に配置された自毛束を交差し、次ぎに上下に配置された毛髪用繊維束を交差させる一連の動作を複数回繰り返し形成されるものである。
【００１３】
【実施例】
本発明の実施例を図に基づいて説明する。
図１は、本発明の毛髪用繊維束の取着方法における実施例１の自毛束−毛髪用繊維束結束部の説明図、図２は、本発明の毛髪用繊維束の取着方法における実施例２の自毛束−毛髪用繊維束結束部の説明図、図３は本発明の毛髪用繊維束の取着方法における実施例１の工程図、図４は本発明の毛髪用繊維束の取着方法における実施例２の工程図、図５〜図１２は、本発明の毛髪用繊維束の取着方法における実施例１の工程説明図である。
図中、１は自毛、１Ａ、１Ｂは自毛束、２、２Ａ、２Ｂは毛髪用繊維束、３、３’は自毛束−毛髪用繊維束結束部、４、４Ａ、４Ｂは糸ゴム、１０は自毛束結束部、４０は糸ゴムの結束部、Ｇは頭皮、Ｋは編み込み部、Ｋ１は第１編み込み部、Ｋ２は第２編み込み部である。
【００１４】
図１は本発明の毛髪用繊維束の取着方法における実施例１の自毛束−毛髪用繊維束結束部の説明図であり、頭皮Ｇの一部（２〜６ｍｍ角の頭皮面）から複数本の自毛１を取り分けて自毛束１Ａが作られ、かつもう一つの自毛束１Ｂが隣接して作られており、前記隣接して作られた２束の自毛束１Ａ、１Ｂを頭皮Ｇ面近くで結んで自毛束結束部１０を形成している（図１（ａ））。自毛束結束部１０は頭皮Ｇ面から１〜３ｍｍの位置で結ばれている。
なお、本実施例においては、自毛束１Ａと自毛束１Ｂの間の基部に１束の毛髪用繊維束２が載置されている。毛髪用繊維束２は、自毛束結束部１０を基準として、上方に位置する毛髪用繊維束２を毛髪用繊維束２Ａ、下方部に位置する毛髪用繊維束２を毛髪用繊維束２Ｂとしている。
そして、自毛束１Ａと自毛束１Ｂを結んで形成された自毛束結束部１０に毛髪用繊維束２が結ばれ自毛束−毛髪用繊維束結束部３が作られている（図１（ｂ）。
実施例１における本発明の毛髪用繊維束の取着方法の工程は、図３の本発明の毛髪用繊維束の取着方法における実施例１の工程図に示すごとく、第１工程は頭皮の一部から多数本の自毛からなる自毛束の２束を隣接して取り分け、第２工程で、２束の自毛束間の基部に１束の毛髪用繊維束を載置する。そして、第３工程で、前記２束の自毛束を１束の毛髪用繊維束の上面で結んで自毛束結束部を作り、第４工程は、第３工程で結束された自毛束結束部に１束の毛髪用繊維束を結んで自毛束−毛髪用繊維束結束部を作る。その後、第５工程として、前記自毛束−毛髪用繊維束結束部を起点として、自毛束と毛髪用繊維束を編み込んで編み込み部を形成し、第６工程で前記編み込み部の少なくとも終端を固定する。
【００１５】
図２は本発明の毛髪用繊維束の取着方法における実施例２の自毛束−毛髪用繊維束結束部の説明図であり、頭皮Ｇの一部（２〜６ｍｍ角の頭皮面）から複数本の自毛１を取り分けて自毛束１Ａが作られ、かつもう一つの自毛束１Ｂが隣接して作られており、前記隣接して作られた２束の自毛束１Ａ、１Ｂを頭皮Ｇ面近くで交差させ（図２（ａ））、同自毛束１Ａと自毛束１ｂ及び毛髪用繊維束２が頭皮Ｇ面から１〜３ｍｍの位置で結ばれ、自毛束−毛髪用繊維束結束部３’が形成されている（図２（ｂ））。
なお、本実施例においても、実施例１と同様に、自毛束１Ａと自毛束１Ｂの間の基部に１束の毛髪用繊維束２が載置されている。毛髪用繊維束２は、自毛束１Ａと１Ｂの交差点を基準として、上方に位置する毛髪用繊維束２を毛髪用繊維束２Ａ、下方部に位置する毛髪用繊維束２を毛髪用繊維束２Ｂとしている。
実施例２における本発明の毛髪用繊維束の取着方法の工程は、図４の本発明の毛髪用繊維束の取着方法における実施例２の工程図に示すごとく、第１工程は頭皮の一部から多数本の自毛からなる自毛束の２束を隣接して取り分け、第２工程で、２束の自毛束間の基部に１束の毛髪用繊維束を載置する。そして、第３工程で、前記２束の自毛束と１束の毛髪用繊維束とを結んで自毛束−毛髪用繊維束結束部を作る。その後、第４工程として、前記自毛束−毛髪用繊維束結束部を起点として、自毛束と毛髪用繊維束を編み込んで編み込み部を形成し、第５工程で前記編み込み部の少なくとも終端を固定する。
【００１６】
本発明の実施例１の工程を、図５〜図１２は、本発明の毛髪用繊維束の取着方法における実施例１の工程説明図によって、説明する。
まず初めに、図５は本発明の毛髪用繊維束の取着方法における実施例１の工程説明図の第１工程に示すように、頭皮Ｇから、自毛１を取り分けて束ねて自毛束１Ａと自毛束１Ｂを形成している。
ここで、自毛束１Ａ、自毛束１Ｂは、それぞれおよそ２５〜５０本程度の自毛１を約２〜６ｍｍ角面積の頭皮Ｇから取り分けて形成されている。
なお、自毛束１Ａ及び自毛束１Ｂの形成は、５０〜１００本の自毛１を取り分けた後、中央から二等分して形成してもよい。
次ぎに、図６の第２工程で示すように、前記自毛束１Ａと自毛束１Ｂの間に、毛髪用繊維束２を載置する。
ここで、自毛束１Ａと自毛束１Ｂの間に載置された毛髪用繊維束２の長さ調整をする。毛髪用繊維束２は、仕上がり時の長さが毛髪用繊維束２Ｂの長さにすることができるので、毛髪用繊維束２を上下させ、長さの調整をする。
これは、編み込み作業後に、毛髪用繊維束２をハサミやレザーなどを用いてカットしないでよいようにするために予め長さの調整を行っているものである。  本発明の毛髪用繊維束の取着方法によれば、毛髪用繊維束２は、自毛束結束部１０と結束されるので、毛髪用繊維束２は外れにくく、かつ編み込み作業は、自毛束結束部１０を起点として行われるので、毛髪用繊維束２が解れにくく、作業はしやすいので、毛髪用繊維束２Ａは、編み込み作業時に必要な長さがあればよく（例えば１０ｃｍ程度）、編み込み部の長さに合わせて、長さ調整をすることができる。
【００１７】
そして、図７の第３工程に示すように、自毛束１Ａと自毛束１Ｂを結び、自毛束結束部１０を形成する。結び方の一例としては、図示したように、自毛束１Ａを自毛束１Ｂにくぐらせ、自毛束１Ｂを自毛束１Ａにくぐらせる、一般的な結び方でよい。
なお、本実施例における毛髪用繊維束の取着方法は、１人の作業者で行うこともできるが、自毛束１を保持する作業者と、毛髪用繊維束２を保持する作業者の２名によって作業を行うと、非常に効率よく行うことができる。
なお、図７の第３工程は、実施例１の場合の説明図であるが、実施例２を施行する場合には、自毛束１Ａと自毛束２Ａを頭皮Ｇの近くで交差させる（図２（ａ）参照）。
【００１８】
次ぎに、図８の第４工程（１）（２）に示すように、自毛束１Ａと自毛束１Ｂの間に載置されていた毛髪用繊維束２の毛髪用繊維束２Ａと毛髪用繊維束２Ｂを結ぶ。この際には、毛髪用繊維束２を保持する作業者が、毛髪用繊維束２Ａを毛髪用繊維束２Ｂにくぐらすように、そして、毛髪用繊維束２Ｂを毛髪用繊維束２Ａにくぐらすようにして結ぶ。同作業の間は、自毛束１を保持する作業者が、自毛束１Ａと自毛束１Ｂを外側方向に引いていると、効率良く作業ができる。
こうして、自毛束１Ａと自毛束１Ｂを結束させた自毛束結束部１０と毛髪用繊維束２との結束部である自毛束−毛髪用繊維束結束部３が形成される。
本発明の毛髪用繊維束の取着方法においては、自毛束結束部１０が、頭皮Ｇから１〜３ｍｍ程度離れた位置に形成されているので、頭皮Ｇが必要以上に引っ張られることがなく、痛みを生じさせずに作業が行える。
【００１９】
次ぎに、図９、１０の第５工程に示すように、自毛束−毛髪用繊維束結束部３から自毛束１Ａと自毛束１Ｂ、毛髪用繊維束２Ａと毛髪用繊維束２Ｂが編み込まれて編み込み部Ｋが形成される。
本実施例においては、一般的な四つ編みと呼ばれる編み方で編み込み部が形成されている。
すなわち、
第５工程（１）：自毛束−毛髪用繊維束結束部３の上面で、自毛束１Ａと自毛束１Ｂを交差させる。
第５工程（２）：前記第５工程（１）で交差させた自毛束１Ａと自毛束１Ｂの上面で、毛髪用繊維束２Ａと毛髪用繊維束２Ｂを交差させる。
第５工程（３）：第５工程（１）及び第５工程（２）により、自毛束−毛髪用繊維束結束部３の上面で、自毛束１Ａと自毛束１Ｂが交差し、毛髪用繊維束２Ａと毛髪用繊維束２Ｂが交差して第１編み込み部Ｋ１が形成されている。
第５工程（４）：第５工程（３）における第１編み込み部Ｋ１の形成後、再び第５工程（１）と同様に、自毛束１Ａと自毛束１Ｂを交差させる。
第５工程（５）：第５工程（４）で交差させた自毛束１Ａと自毛束１Ｂの上面で、第５工程（２）と同様に、毛髪用繊維束２Ａと毛髪用繊維束２Ｂを交差させる。
第５工程（６）：第５工程（４）及び第５工程（５）により、第１編み込み部Ｋ１の上面で、自毛束１Ａと自毛束１Ｂが交差し、毛髪用繊維束２Ａと毛髪用繊維束２Ｂが交差して第２編み込み部Ｋ２が形成されている。
第５工程（７）：同様に第５工程（１）及び第５工程（２）を複数回繰り返すことにより、編み込み部Ｋが形成される。なお、図１０における第５工程（７）においては、４回繰り返し、第１編み込み部Ｋ１〜第４編み込み部Ｋ４までが形成されている。
編み込み部Ｋは、自毛束１Ａと自毛束１Ｂ及び毛髪用繊維束２Ａと毛髪用繊維束２Ｂを強固に取着するためのものであり、各毛束の大きさや、長さ、特には、毛髪用繊維束２Ａ及び毛髪用繊維束２Ｂの繊維の量や、仕上がり時の長さなどに合わせて、編み込み部Ｋの長さを考慮することが好ましい。
【００２０】
最後に、編み込みＫが形成された後、編み込み部Ｋの少なくとも終端を固定する。固定は、編み込み部Ｋが緩んだり解れたりしないように強固に編み込み部Ｋの終端が固定される方法が選択される。特に、糸ゴムなどによる結束が好ましく、編み込み部Ｋの終端部のみならず、編み込み部Ｋの下方部を捲回して、糸ゴム自身が脱着しないように固定することが好ましい。
図１１、図１２には編み込み部Ｋの終端を糸ゴムで固定する第６工程を示す。
第６工程（１）：編み込み部Ｋの終端位置に糸ゴム４を配置する。図においては、糸ゴム４の編み込む部Ｋとの接地部を基準に、左右を糸ゴム４Ａ、糸ゴム４ｂとする。
第６工程（２）：糸ゴム４Ａを編み込み部Ｋに巻き付ける。その際、編み込み部Ｋの終端位置から上方向へ向けて巻き付ける。
第６工程（３）：さらに糸ゴム４Ａを編み込み部Ｋに上方向に向けて複数回巻き付ける。
第６工程（４）：第６工程（３）の後、前記第６工程（３）で巻き付けた糸ゴム４Ａを覆うように、糸ゴム４Ａを編み込み部Ｋの下方向に向けて、編み込み部Ｋの終端まで捲回する。
第６工程（５）（６）：編み込み部Ｋの終端部で、糸ゴム４Ａと、糸ゴム４Ｂを結ぶ。
第６工程（７）：糸ゴム４が脱着しないよう糸ゴム４Ａと糸ゴム４Ｂを複数回結ぶ。
第６工程（８）：糸ゴム４が強固に結束され糸ゴムの結束部４０が形成される。
その後、自毛束１Ａと自毛束１Ｂ及び、毛髪用繊維束２Ａと毛髪用繊維束２Ｂが自然に融合するように、ブラッシングすることにより、作業工程は完了する。
本実施例においては、自毛束−毛髪用繊維束結束部を起点に、四つ編みによる編み込み部を形成しているが、毛束の量や長さによって、他の編み方を採用することもできる。
【００２１】
【発明の効果】
本発明の毛髪用繊維束の取着方法によれば、
頭皮の一部から複数本の自毛を取り分けて自毛束を作り、かつもう一つの自毛束を隣接して作る工程と、前記隣接して作られた２束の自毛束を頭皮面近くで結んで自毛束結束部を形成する工程と、その自毛束結束部に毛髪用繊維束を結束して自毛束−毛髪用繊維束結束部を形成する工程、あるいは、頭皮の一部から複数本の自毛を取り分けて自毛束を作り、かつもう一つの自毛束を隣接して作る工程と、前記隣接して作られた２束の自毛束と毛髪用繊維束を頭皮面近くで結んで自毛束−毛髪用繊維束結束部を形成する工程により毛髪用繊維束が取着されるので、頭皮面近くで、自毛束と毛髪用繊維束が結束され、作業が容易になり作業時間は大幅に短縮でき、かつ熟練した技術がなくとも、自毛束に確実に毛髪用繊維束を取着できる。
また、２〜６ｍｍ角の頭皮面から複数本の自毛を取り分けて自毛束を作り、かつもう一つの自毛束を隣接して作る工程と、前記隣接して作られた２束の自毛束を頭皮面から１〜３ｍｍの位置で結んで自毛束結束部を形成する工程と、その自毛束結束部に毛髪用繊維束を結束して自毛束−毛髪用繊維束結束部を形成する工程、あるいは、２〜６ｍｍ角の頭皮面から複数本の自毛を取り分けて自毛束を作り、かつもう一つの自毛束を隣接して作る工程と、前記隣接して作られた２束の自毛束と毛髪用繊維束を頭皮面から１〜３ｍｍの位置で結んで自毛束−毛髪用繊維束結束部を形成する工程により、毛髪用繊維束が取着されるので、自毛の生え際の頭皮を作業時に引っ張ることがなく、頭皮を痛めることもなく、かつ作業時に痛みを感じさせることもない。
そして、自毛束と毛髪用繊維束を結束し、自毛束−毛髪用繊維束結束部を作った後に、前記自毛束−毛髪用繊維束結束部を起点として、編み込み部を形成するので、作業土台が確立し、品質の高い作業が行えるとともに、格段に作業効率が向上する。
さらに、自毛束−毛髪用繊維束結束部を作り、自毛束と毛髪用繊維束が確実に結束されているので、毛髪用繊維束は、編み込み部形成に必要な長さだけでも容易に編み込み作業ができるので、編み込み部形成前に長さ調整をすることができ、作業後にハサミやレザーなどによるカットが必要なくなり、資源の節約ができる。
【図面の簡単な説明】
【図１】本発明の毛髪用繊維束の取着方法における実施例１の自毛束−毛髪用繊維束結束部の説明図
【図２】本発明の毛髪用繊維束の取着方法における実施例２の自毛束−毛髪用繊維束結束部の説明図
【図３】本発明の毛髪用繊維束の取着方法における実施例１の工程図
【図４】本発明の毛髪用繊維束の取着方法における実施例２の工程図
【図５】本発明の毛髪用繊維束の取着方法における実施例１の工程説明図
【図６】本発明の毛髪用繊維束の取着方法における実施例１の工程説明図
【図７】本発明の毛髪用繊維束の取着方法における実施例１の工程説明図
【図８】本発明の毛髪用繊維束の取着方法における実施例１の工程説明図
【図９】本発明の毛髪用繊維束の取着方法における実施例１の工程説明図
【図１０】本発明の毛髪用繊維束の取着方法における実施例１の工程説明図
【図１１】本発明の毛髪用繊維束の取着方法における実施例１の工程説明図
【図１２】本発明の毛髪用繊維束の取着方法における実施例１の工程説明図
【符号の説明】
１    自毛
１Ａ、１Ｂ    自毛束
２、２Ａ、２Ｂ    毛髪用繊維束
３、３’    自毛束−毛髪用繊維束結束部
４、４Ａ、４Ｂ    糸ゴム
１０    自毛束結束部
４０    糸ゴムの結束部
Ｇ      頭皮
Ｋ      編み込み部
Ｋ１    第１編み込み部
Ｋ２    第２編み込み部
【図１】
2004332156.tif 000003
【図２】
2004332156.tif 000004
【図３】
2004332156.tif 000005
【図４】
2004332156.tif 000006
【図５】
2004332156.tif 000007
【図６】
2004332156.tif 000008
【図７】
2004332156.tif 000009
【図８】
2004332156.tif 000010
【図９】
2004332156.tif 000011
【図１０】
2004332156.tif 000012
【図１１】
2004332156.tif 000013
【図１２】
2004332156.tif 000014